(57)【要約】通信プロトコルに従って送信装置（２，３）から受信装置（１０）へ受信データ（ＥＤ）を送信することができる送信信号（ＵＳ）を受信する受信装置（１０）は、送信信号（ＵＳ）を受信する受信手段（１２）と、受信された送信信号（ＵＳ）を評価し、送信装置（２，３）から送信された受信データ（ＥＤ）のビットだけでなく送信信号（ＵＳ）への妨害によって生じたビット（ＳＢ）が格納された、送信信号（ＵＳ）で受信されたビットシーケンス（ＢＦＴ）を送出する評価手段（１６）と、受信されたビットシーケンス（ＢＦＴ）が通信プロトコルのルールに違反するかどうかをチェックするチェック手段（１８）と、を具備し、受信装置（１０）は、通信プロトコルの違反が発生した後に、送信信号（ＵＳ）の受信と受信されたビットシーケンス（ＢＦＴ）のチェックを続行するように構成される。
2005525767.tif 000002
【特許請求の範囲】
【請求項１】
通信プロトコルに従って送信装置から受信装置へ受信データを送信することができる送信信号を受信する受信装置であって、
前記送信信号を受信する受信手段と、
前記受信された送信信号を評価し、前記送信装置から送信された受信データのビットだけでなく前記送信信号への妨害によって生じたビットも格納するビットシーケンスであって、前記送信信号内で受信されたこのビットシーケンスを送出する評価手段と、
前記受信されたビットシーケンスが前記通信プロトコルのルールに違反するかどうかをチェックするチェック手段と、
を備え、
当該受信装置が、前記通信プロトコルの違反が発生した後に、これに続いて前記送信信号の受信と前記受信されたビットシーケンスのチェックとを続行するように構成されることを特徴とする受信装置。
【請求項２】
前記チェック手段が、前記通信プロトコルのルールの違反が発生した後に、これに続いて違反したルールを示す通信誤り情報を送出するように構成されることを特徴とする請求項１に記載の受信装置。
【請求項３】
前記チェック手段は、前記受信されたビットシーケンスの最初のビットが受信期間の先頭から始まるリード期間の満了前に既に受信されているかどうかを、すなわち、前記通信プロトコルの第１のルールに違反しているかどうかをチェックするように構成され、
当該受信装置は、第１のルールに違反している場合に、前記リード期間の満了前に受信された前記受信されたビットシーケンスの前記ビットを拒否し、前記送信信号の受信と前記リード期間の満了後に受信された前記受信されたビットシーケンスのビットのチェックとを続行するように構成されることを特徴とする請求項１に記載の受信装置。
【請求項４】
前記チェック手段は、有効な受信データ内の所定のビット位置に格納された冗長情報が前記受信されたビットシーケンス内の欠陥のあるビットを識別するかどうかに関して、すなわち、前記通信プロトコルの第２のルールに違反しているかどうかに関して、前記受信されたビットシーケンスをチェックするように構成され、
該当する場合に、当該受信装置は、欠陥のあることが識別された前記受信されたビットシーケンスのビットを拒否し、前記送信信号の受信と、受信された後続のビットシーケンスのチェックとを続行するように構成されることを特徴とする請求項１に記載の受信装置。
【請求項５】
前記チェック手段は、前記通信プロトコルによって予め定められたフレームビットシーケンスが前記受信されたビットシーケンス内の所定のビット位置から欠けているかどうかに関して、すなわち、前記通信プロトコルの第３のルールに違反しているかどうかに関して、前記受信されたビットシーケンスをチェックするように構成され、
該当する場合に、当該受信装置は、既に受信されたビットシーケンスを拒否し、前記送信信号の受信と、受信された後続のビットシーケンスのチェックとを続行するように構成されることを特徴とする請求項１に記載の受信装置。
【請求項６】
前記チェック手段が、受信期間の範囲から開始して、最大受信期間が満了したかどうかをチェックするように構成され、
前記チェック手段は、最大受信期間が満了した場合、受信期間超過情報を送出するように構成され、または、前記通信プロトコルの違反がこの受信期間に検出されたならば、通信誤り情報を送出するように構成されることを特徴とする請求項２に記載の受信装置。
【請求項７】
当該受信装置は基地局に設けられ、前記送信装置を形成する少なくとも１台の中継器との非接触通信のため構成されることを特徴とする請求項１に記載の受信装置。
【請求項８】
バッファ記憶手段が前記評価手段によって送出された前記受信されたビットシーケンスを記憶し、検出された前記通信誤り情報を記憶するため設けられることを特徴とする請求項２に記載の受信装置。
【請求項９】
カウンタ手段が既に経過した前記受信期間を判定するため設けられ、
この時間測定は、さらなるビットが前記送信信号で受信されると直ちに前記カウンタ手段によって中断され、
この時間測定は、前記通信プロトコルのルールの違反が前記チェック手段によって確証されると直ちに前記カウンタ手段によって再開されることを特徴とする請求項６に記載の受信装置。
【請求項１０】
通信プロトコルに従って送信装置から受信装置へ受信データを送信することができる送信信号を受信する受信方法であって、
前記送信信号を受信する工程と、
前記受信された送信信号を評価し、前記送信装置から送信された受信データのビットだけでなく前記送信信号への妨害によって生じたビットも格納するビットシーケンスであり、前記送信信号で受信されたビットシーケンスを送出する工程と、
前記受信されたビットシーケンスが前記通信プロトコルのルールに違反するかどうかをチェックする工程と、
を含み、
前記通信プロトコルの違反が発生した後に、これに続いて前記送信信号の受信と前記受信されたビットシーケンスのチェックが続行されることを特徴とする受信方法。
【請求項１１】
前記通信プロトコルのルールの違反が発生した場合に、違反したルールを示す通信誤り情報を送出されることを特徴とする請求項１０に記載の受信方法。
【請求項１２】
前記受信されたビットシーケンスが、前記受信されたビットシーケンスの最初のビットが受信期間の先頭から始まるリード期間の満了前に既に受信されているかどうかに関して、すなわち、前記通信プロトコルの第１のルールに違反しているかどうかに関してチェックされ、
その結果、該当する場合に、前記リード期間の満了前に受信された前記受信されたビットシーケンスのビットが拒否され、前記送信信号の受信と前記リード期間の満了後に受信された前記受信されたビットシーケンスのビットのチェックが続行されることを特徴とする請求項１０に記載の受信方法。
【請求項１３】
前記受信されたビットシーケンスが、有効な受信データの所定のビット位置に格納された冗長情報は前記受信されたビットシーケンス内の欠陥のあるビットを識別するかどうかに関して、すなわち、前記通信プロトコルの第２のルールに違反しているかどうかに関して、チェックされ、
その結果、該当する場合に、欠陥のあることが識別された前記受信されたビットシーケンスのビットが拒否され、前記送信信号の受信と、受信された後続のビットシーケンスのチェックが続行されることを特徴とする請求項１０に記載の受信方法。
【請求項１４】
前記受信されたビットシーケンスが、前記通信プロトコルによって予め定められたフレームビットシーケンスは前記受信されたビットシーケンス内の所定のビット位置から欠けているかどうかに関して、すなわち、前記通信プロトコルの第３のルールに違反しているかどうかに関して、チェックされ、
その結果、該当する場合に、前記受信されたビットシーケンス内で欠陥のあることが識別されたビットが拒否され、前記送信信号の受信と、受信された後続のビットシーケンスのチェックが続行されることを特徴とする請求項１０に記載の受信方法。
【請求項１５】
受信期間の先頭から始めて、最大受信期間は既に満了したかどうかがチェックされ、
その結果、該当する場合に、受信期間超過情報が送出されるか、または、前記通信プロトコルの違反がこの受信期間に検出されたならば、通信誤り情報が送出されることを特徴とする請求項１１に記載の受信方法。
【請求項１６】
既に経過した前記受信期間が決定され、
この時間測定はさらなるビットが前記送信信号で受信されると直ちに中断され、
この時間測定は前記通信プロトコルのルールの違反が確証されると直ちに続行されることを特徴とする請求項１５に記載の受信方法。
【発明の詳細な説明】
【技術分野】
【０００１】
本発明は、通信プロトコルに従って送信装置から受信装置へ受信データを送信することができる送信信号を受信する受信装置であって、送信信号を受信する受信手段と、受信された送信信号を評価し、送信装置から送信された受信データのビットだけでなく送信信号への妨害によって生じたビットも格納された、送信信号で受信されたビットシーケンスを送出する評価手段と、受信されたビットシーケンスが通信プロトコルのルールに違反するかどうかをチェックするチェック手段と、を具備した受信装置に関する。
【０００２】
本発明は、さらに、通信プロトコルに従って送信装置から受信装置へ受信データを送信することができる送信信号を受信する受信方法であって、
送信信号を受信する工程と、
受信された送信信号を評価し、送信装置から送信された受信データのビットだけでなく送信信号への妨害によって生じたビットも格納された、送信信号で受信されたビットシーケンスを送出する工程と、
受信されたビットシーケンスが通信プロトコルのルールに違反するかどうかをチェックするチェック工程と、を含む受信方法に関する。
【背景技術】
【０００３】
この種の受信装置およびこの種の受信方法は、文献：米国特許第５，８１８，３４８号明細書で知られている。この文献は、基地局および多数の中継器を含み、基地局が通信プロトコルに従ってある時点で１台の中継器と通信する、システムを開示する。この通信中に、基地局が中継器に記憶された受信データの問い合わせを行うと直ぐに、これにより送信局を形成する中継器は、送信信号で受信データを基地局へ送信し、これにより、基地局は受信装置を形成する。
【０００４】
中継器から基地局へ送信信号で受信データを送信する間に、特に、妨害信号の重畳の結果として、送信信号への妨害が発生する可能性があり、この妨害は基地局によって受信される受信データに誤りを生じさせる。この種の妨害信号が周期的に発生し、その周期が送信信号のビットの「ハイ」または「ロー」の周期の間隔とおおよそ一致するならば、基地局で誤った受信データを受信する危険性がかなり高くなる。
【０００５】
受信データの送信の際にできるだけ高い保護を確保するため、従来のシステムではセキュリティデータが受信データに付加的に含まれる。この種のセキュリティデータは、送信信号内の特定のビット位置に、受信データの先頭領域、最終領域および特定の領域を示すためにフレームビットシーケンスを含み、受信データの一部分をビット誤りから保護するために冗長情報を含む。さらに、指定送信回数が通信プロトコルによって規定される。これは、送信によって生じる可能性が非常に高い誤りが送信信号で認められることを意味する。この種の伝送誤りが、従来の基地局でセキュリティデータおよび予想送信回数を評価することにより認められるならば、基地局は、再度、中継器からの受信データの問い合わせを行う。
【０００６】
従来の基地局および従来の受信方法では、伝送誤りが基地局で認められると、毎回、受信データの全体がもう一度問い合わせをされる必要があり、これは、中継器との通信を著しく長期化する欠点があることがわかった。基地局、例えば、料金計算システムまたはチケットシステムは、非常に短い時間に多数の中継器と通信しなければならないので、個々の中継器との通信が少しでも長期化することは非常に不利である。
【発明の開示】
【発明が解決しようとする課題】
【０００７】
本発明の目的は、上記の欠点が回避された、本明細書の第１段落に上述された一般的なタイプに基づく受信装置、および、第２段落に上述された一般的なタイプに基づく受信方法を開発することである。
【課題を解決するための手段】
【０００８】
上記目的を達成するため、この種の受信装置は、通信プロトコルの違反が発生した後に、送信信号の受信、および、受信されたビットシーケンスのチェックを続行するように構成される。
【０００９】
上記目的を達成するため、この種の受信方法は、通信プロトコルの違反が発生した後に、これに続いて送信信号の受信、および、受信されたビットシーケンスのチェックを続行するように構成される。
【００１０】
本発明による特徴を用いて、この受信方法によれば、受信装置は、通信プロトコルの違反が検出された場合であっても、送信信号の受信および評価を続行することが実現される。通信プロトコルの違反は、一方で、受信されたビットシーケンスの評価およびその中に格納されたセキュリティデータのチェックによって検出され、または、通信プロトコルによって定められた送信回数の遵守のチェックによって検出される。その結果として、例えば、評価手段によってビットシーケンスとして誤って評価され、アナログ信号レベルでは認識され得ない周期的な妨害信号は、受信装置が受信データを再要求する必要なく、認識されビットレベルで除去することが可能である。したがって、受信装置の送信装置との通信がかなり加速されるという利点がある。
【００１１】
請求項２および請求項１１に記載された手段によれば、通信プロトコルのルール違反を示す通信誤り情報が、誤り解析および通信プロトコルのルール違反の表示を可能にするため、受信装置のソフトウェアの上位プロトコルレベル（例えば、アプリケーションレベル）へ送出され得る、という利点が得られる。
【００１２】
通信プロトコルにおいて、受信データを受信する受信期間の先頭から、送信装置が送信信号の送信開始を許可される前に、リード期間が最初に待機されなければならない、と取り決めをしてもよい。請求項３および請求項１２に記載された手段によれば、リード期間の満了前に妨害信号によって生じ、受信装置によって受信されたビットは、拒否され、誤って受信データとして解釈されない、という利点が得られる。
【００１３】
請求項４および請求項１３に記載された手段によれば、冗長信号の評価の結果として、それまでに受信された受信データに誤りが検出された場合、それまでに受信された受信データだけが拒否され、送信信号の受信および評価は続行される、という利点が得られる。
【００１４】
請求項５および請求項１４に記載された手段によれば、通信プロトコルによって規定されたビット位置で受信されたビットシーケンスの評価が所定のフレームビットシーケンスが送信信号に格納されているかどうかを明らかにし、したがって、有効な受信データが受信されたことを明らかにする、という利点が得られる。
【００１５】
請求項６および請求項１５に記載された手段によれば、通信プロトコルによって規定された最大受信期間の満了後に受信されたビットシーケンス内のすべてのビットが直ちに拒否され、したがって、ビットレベルで除去することができる、という利点が得られる。
【００１６】
請求項７に記載された手段によれば、特に信頼性の高い通信が受信装置を含む基地局と中継器との間で実現される。
【００１７】
請求項８に記載された手段によれば、特に費用対効果の優れた受信装置が実現される。
【００１８】
請求項９および請求項１６に記載された手段によれば、受信データで送信されるべきビット数とは無関係に、同じ最大受信期間が規定される、という利点が得られる。
【発明を実施するための最良の形態】
【００１９】
以下、図面に表された実施形態を参照して本発明をさらに説明するが、本発明はこれらの実施形態に限定されない。
【００２０】
図１は、受信装置を形成する基地局１と、共に送信装置を形成する第１の中継器２および第２の中継器３を示す。基地局１は、電磁場ＨＦで送信され、通信プロトコルに従って中継器２および３から基地局１へ受信データＥＤを送信することができる送信信号ＵＳを受信するため構成される。
【００２１】
通信プロトコルには、受信データＥＤの送信中にできるだけ最高のセキュリティを確保するため、送信されるべき受信データＥＤに加えて、セキュリティデータも送信されることが規定されている。この種のセキュリティデータは、受信データＥＤの先頭領域、最終領域および特定領域を示すため、送信信号ＵＳ内のある特定のビット位置にフレームビットシーケンスを含む。この通信プロトコルでは、先頭フレームビットシーケンスＳＯＦが定められ、受信データＥＤのブロックの送信前に送信される。さらに、最終フレームビットシーケンスＥＯＦが定められ、受信データＥＤの各ブロックの最後に送信される。
【００２２】
この通信プロトコルでは、受信データＥＤの一部分をビット誤りから保護するため、冗長情報がさらに定められる。指定送信回数がまたこの通信プロトコルによって定められ、それらは図３および４を参照してより詳細に説明される。この種の通信プロトコルは、例えば、規格ＩＳＯ／ＩＥＣ  １５．６９３に準拠して定められる。
【００２３】
中継器２および３は、それぞれアンテナ４および５と、それぞれ処理手段６および７と、それぞれ記憶手段８および９とを含み、それらの動作モードは同じである。アンテナ４によって、中継器２は、基地局１によって発生され放射された場ＨＦを受信するように構成され、この場は、中継器２および３によって送信信号ＵＳとしてさらに処理される。場ＨＦにおいて、送信データＳＤは送信信号ＵＳのパルス幅変調によって基地局１から中継局２へ送信され、受信データＥＤは送信信号ＵＳの負荷変調によって中継器２から基地局１へ送信される。場ＨＦは１３．５６ＭＨｚの周波数を有する。
【００２４】
中継器２の処理手段６は、送信信号ＵＳの中で、パルス幅変調されて、基地局１から中継器２へ送信された送信データＳＤを復調するため構成され、この送信データは処理手段６による復調後に記憶手段８に保存することが可能である。処理手段６は、受動型中継器２である中継器２のための電源電圧を電磁場ＨＦから発生するためさらに構成されている。
【００２５】
中継器２が基地局１からかなり遠くに設けられ、アンテナ４内に受信される場ＨＦがかなり弱い場合、処理手段６は省電力モードに切り替わり、処理手段６によって場ＨＦから得られキャパシタに蓄積された電源電圧が再び十分に大きくなるまで、処理が停止され、中継器２内で実質的に電力が消費されない。中継器２におけるこの省電力モードの起動と停止は、負荷変調と同じように場ＨＦを印加する。省電力モードの起動と停止の間の時間が、送信信号ＵＳで中継器２から基地局１へ送信された受信データＥＤのビット「１」または「０」の「ハイ」または「ロー」の時間に一致する特有の時間にほぼ一致する場合がある。場ＨＦの端に設けられた中継器２または３は、したがって、場ＨＦを周期的に印加し除去し、妨害ビットＳＢを含む妨害信号ＳＴを、受信信号ＥＤを含む送信信号ＵＳに重畳する妨害の原因になり得る。
【００２６】
基地局１は、受信装置１０とインタフェース装置１１を含み、チケット機械を形成し、地下鉄の旅客が中継器２または３を差し込むことにより地下鉄乗車のための料金を支払うことができ、この場合に中継器２または３は電子チケットを形成する。この場合に、インタフェース装置１１は、チケット機械をリンクするコンピュータネットワークに接続されたマイクロコンピュータを含む。インタフェース装置は、電子チケットと一体となった記憶手段８または９に記憶された限度額がその料金を支払うために不足しているといった旅客にとって重要な情報を表示するディスプレイをさらに含む。
【００２７】
受信装置１０は受信手段１２を含み、受信手段１２は、アンテナ１３、フィルタ段１４およびクロック信号手段１５により形成される。場ＨＦで送信される送信信号ＵＳは、アンテナ１３で受信可能であり、中継器２または３から基地局１へ送信された受信データＥＤを含み、可能であれば妨害ビットＳＢを含む。送信信号ＵＳはフィルタ段１４とクロック信号手段１５の両方へ供給可能である。
【００２８】
クロック信号手段１５は、場ＨＦを利用してシステムクロックＣＬＫを生成し、システムクロックＣＬＫを基地局１の評価手段１６へ送出する。フィルタ段１４はアナログフィルタを含み、アナログフィルタは、送信信号ＵＳの望ましくない高周波および低周波信号成分を除波する。フィルタ処理されたアナログ送信信号ＵＳは評価手段１６へ供給することができる。
【００２９】
評価手段１６は、受信された送信信号ＵＳを評価し、送信信号ＵＳで受信された受信ビットシーケンスＢＦＴを送出するため構成され、このビットシーケンスは、中継器２または３から送信された受信データＥＤの受信ビットＥＢだけではなく、送信信号ＵＳに対する妨害によって生じた妨害ビットＳＢを含む。評価手段１６は、中継器２または３によって負荷変調された送信信号ＵＳを復調する復調器を含み、受信ビットシーケンスＢＦＴを基地局１のバッファ記憶手段１７へ送出する。バッファ記憶手段１７は、ＲＡＭ（ランダムアクセスメモリ）により形成され、評価手段１６によって送出された受信ビットシーケンスＢＦＴのビットを記憶する。
【００３０】
基地局１は、受信された受信ビットシーケンスＢＦＴが通信プロトコルのルールに違反するかどうかをチェックするチェック手段１８をさらに具備する。その結果、有効なフレームビットシーケンスおよび冗長情報が受信ビットシーケンスＢＦＴで見つけられたかどうか、並びに、所定の送信回数が守られているかどうかがチェックされる。通信プロトコルの違反が検出された場合、チェック手段１８は、通信誤り情報ＫＦＩをインタフェース装置１１へ送出するように構成され、そのさらに詳しい内容を次に説明する。
【００３１】
チェック手段１８は、場ＨＦで中継器２および／または中継器３へ送信されるべき送信データＳＤを受信装置１０の送信手段１９へ送出するためさらに構成される。送信手段１９は、１３．５６ＭＨｚの周波数を有する送信信号ＵＳを生成するため構成される。送信手段１９は、一般に知られているように、送信データＳＤを含む送信信号ＵＳのパルス幅変調のための変調器をさらに有する。
【００３２】
次に、図２に示された受信方法ＥＶおよび第１の実施形態を参照して受信装置１０の利点に関して、基地局１のさらなる動作モードをより詳細に説明する。第１の実施形態では、ミューラー氏が地下鉄乗車の料金を支払うため電子チケットを保有し、中継器２がこの電子チケットに搭載されている場合を考える。ミューラー氏は、料金を支払うため電磁場ＨＦに中継器２を持ち込むと、中継器２と基地局１は通信プロトコルのルールに従って通信を開始する。さらなる前提として、中継器３は電磁場ＨＦの端に位置し、したがって、上記のように、妨害信号ＳＴが送信信号ＵＳに重畳される。
【００３３】
基地局１は、記憶された限度額を担保として請求される料金に対して、限度額が足りるかどうかを確定するため、通信プロトコルに従って、中継器２に記憶された限度額の問い合わせを行なわなければならない。このため、基地局１によって進められる受信方法ＥＶは、図２に示されたブロック２０から始まる。
【００３４】
次のブロック２１において、チェック手段１８は、送信ビットシーケンスＢＦＢとして図２に示されたプロンプト信号ＡＳを送信手段１９へ送信し、このプロンプト信号ＡＳはアンテナ１３を介して場ＨＦの中を中継器２へ送信される。通信プロトコルに定められた受信期間は、プロンプト信号ＡＳの後縁から進行方向へ始まる。
【００３５】
ブロック２２において、チェック手段１８に設けられた受信期間カウンタＴＴＣとチェック手段１８に設けられたリード期間カウンタＴＶＣは、受信期間の先頭から作動され、カウンタ値「０」から上向きにカウントを開始する。また、ブロック２２では、中継器２から受信データＥＤを受信する基地局１の受信動作モードが作動される。
【００３６】
通信プロトコルには、中継器２から基地局１への受信期間の先頭から始まるリード期間ＴＶの範囲内には、受信データＥＤは送信されないことが規定される。同様に、最大受信期間ＴＴが満了すると、受信データＥＤは中継器２から基地局１へそれ以上送信されない。
【００３７】
ブロック２３において、チェック手段１８は、受信期間カウンタＴＴＣに現在記憶されているカウンタ読み出し値が既に最大受信期間ＴＴを超えているか、および／または、受信ビットシーケンスＢＦＴからのビットが既に受信されているかをチェックする。不明確な条件が満たされる場合、受信方法ＥＶはブロック２３から先に進まない。
【００３８】
第１の実施形態によれば、妨害信号ＳＴの周波数が通信プロトコルに従って受信データＥＤのビットが中継器２から基地局１へ送信される周波数とほぼ一致するので、中継器３によって発生され、送信信号ＵＳに重畳された妨害信号ＳＴは、アンテナ１３によって受信され、フィルタ段１４によって除去されない。評価手段１６は、受信された妨害信号ＳＴを評価し、妨害ビットＳＢ１をバッファ記憶手段１７へ送出する。この時点で、チェック手段１８は、ブロック２３において受信ビットシーケンスＢＦＴからのビットが既に受信されたことを確証し、ブロック２４で受信期間カウンタＴＴＣを停止する。
【００３９】
次のブロック２５において、チェック手段１８は、受信期間カウンタＴＴＣに現在記憶されているカウンタ読み出し値が既に最大受信期間ＴＴを超えているかどうかをチェックし、この時点では超えていない。ブロック２６において、チェック手段１８は、リード期間カウンタに現在記憶されているカウンタ読み出し値が既にリード期間ＴＶを超えているかどうかをチェックする。チェック手段１８は、この結果、妨害ビットＳＢ１がリード期間ＴＶの満了前に既に受信され、したがって、通信プロトコルの第１のルールに違反していることを確証する。この場合に、チェック手段１８は、バッファ記憶手段１７に記憶された妨害ビットＳＢ１を拒否するか、または、消去するように構成され、その後、受信方法ＥＶはブロック２７で継続する。
【００４０】
その結果として、通信プロトコルの第１のルールに違反する妨害ビットＳＢ１が受信されていても、受信方法ＥＶが受信装置１０によってさらに処理され、新しいプロンプト信号ＡＳを中継器２に送信することによって先頭から再開されることはない、という利点が得られる。その結果として、以下により詳述されるように、受信データＥＤを迅速に送信することが可能である。
【００４１】
ブロック２７において、ブロック２４で先に停止させられた受信期間カウンタＴＴＣが再起動され、妨害ビットＳＢ１がバッファ記憶手段１７から消去され、通信プロトコルの第１のルールを示す通信誤り情報ＫＦＩがチェック手段１８に記憶される。
【００４２】
通信プロトコルのルールに違反下かどうかのチェックの間に受信期間カウンタＴＴＣを停止することの結果として、最大受信期間ＴＴが受信データＥＤで送信されたビット数に依存しないという利点が得られる。
【００４３】
この実施形態によれば、中継器２は、リード期間ＴＶの満了後に直ちに先頭フレームビットシーケンスＳＯＦを送信し、次に、ブロックＢ０、Ｂ１およびＢＮで受信データのビットを送信する。各ブロックの後に続いて、中継器２はブロックコードを送信し、最後のブロックＢＮの後に続いて、中継器２は冗長情報としてフレームコードＦＣを送信する。最後に、中継器は最終フレームビットシーケンスＥＯＦを送信し、それによって、受信データＥＤの送信を終了する。中継器２が受信データＥＤを送信する間に、妨害ビットＳＢは評価段１６によって評価されないが、その理由は、中継器３が基地局１からかなり遠く離れているので、送信信号ＵＳには非常に弱い妨害ビットしか含まれないからである。
【００４４】
チェック手段１８は、評価手段１６によってバッファ記憶手段１７に記憶された受信ビットシーケンスＢＦＴのビットが通信プロトコルのルールに適合するかどうかを連続的にチェックする。受信ビットシーケンスＢＦＴの新たに受信されたビットごとに、これによって、ブロック２３、２４、２５および２６が続けて実行され、ブロック２８が継続する。
【００４５】
ブロック２８において、チェック手段１８は、個別のブロックＢ０からＢＮのブロックコードＢＣがブロックＢ０からＢＮのビットと一致するかどうかをチェックする。ブロックに誤りが検出された場合、通信プロトコルの第２のルールに違反している。
【００４６】
ブロック２９において、チェック手段１８は、先頭フレームビットシーケンスＳＯＦと最終フレームビットシーケンスＥＯＦが通信プロトコルの規約に対応するかどうかをさらにチェックする。先頭フレームビットシーケンスＳＯＦは、例えば、ビットシーケンス「１１１」によって識別され、最終フレームビットシーケンスＥＯＦはビットシーケンス「１０１」によって識別される。この通信プロトコルによれば、先頭フレームビットシーケンスＳＯＦは、中継器２から送信されたビットシーケンスのビット０から２の位置に与えられるべきこと、および、最終フレームビットシーケンスＥＯＦはビット１５０から１５２の位置に与えられるべきことが規定される。ブロック２８におけるチェック中に、基地局１によって送信信号ＵＳのビット１５０から１５２の位置で受信されたビットはビットシーケンス「００１」により形成されるならば、この最終フレームビットシーケンスＥＯＦは誤りであり、通信プロトコルの第３のルールに違反している。
【００４７】
上記のブロック２８におけるチェック中に、誤りが検出され、この結果として、受信ビットシーケンスＢＦＴが通信プロトコルの第２または第３のルールに違反するならば、受信方法ＥＶの処理はブロック２７で再開される。その結果として、通信プロトコルのルールに違反している受信ビットシーケンスＢＦＴのビットは拒否されるが、受信方法ＥＶの処理は続行され、したがって、時間の浪費がないという利点がさらに得られる。
【００４８】
第１の実施形態によれば、中継器２から送信されたビットは弱い妨害信号ＳＴが重畳しているにもかかわらず正しく受信されるという理由から、最終フレームビットシーケンスＥＯＦがブロック２９で認識される。ブロック３０で、バッファ記憶手段１７に記憶された受信ビットシーケンスＢＦＴが受信データＥＤとしてインタフェース装置１１へ送信され、受信方法ＥＶはブロック３１で終了する。
【００４９】
最終フレームビットシーケンスＥＯＦによって送信された受信データの結果が有効であるならば、それ以上受信データＥＤは送信されないことが通信プロトコルによって規定されているので、最終フレームビットシーケンスＥＯＦの後に受信された中継器３からの妨害ビットＳＢ２は、それ以上バッファ記憶手段１７に記憶されない。これは妨害ビットＳＢ２がビットレベルで除去されるという効果を奏する。
【００５０】
本発明による受信装置１０によって、伝送誤りを認識するための冗長情報およびフレームビットシーケンスの他に、通信プロトコルのルールがビットレベルで伝送誤りを除去するために徹底的に使用されるという利点が得られる。基地局１による受信データＥＤの受信が誤りの検出後であっても続行されることは特に有利である。その結果として、基地局１と中継局２との間の通信は、より安全性と信頼性が高くなるだけではなく、通信が著しく加速され、このことが特に有利である。
【００５１】
図４に示された基地局１の第２の実施形態によれば、中継器２は、プロンプト信号ＡＳの後に最初の２個のブロックＢ０およびＢ１だけを送信し、次に、ユーザによって基地局１の場から取り出される。その結果として、非常に弱いけれども評価手段１６によって依然として認識される中継器３の第３の妨害ビットＳＢ３は、この時点以降、バッファ記憶手段１７に記憶される。
【００５２】
この場合、チェック手段１８は、ブロック２８で第３の妨害ビットＳＢ３のチェック中に、中継器２からそれ以上送信されることのない第３のブロックＢ３のブロックコードＢＣがそれ以上送信されることのない第３のブロックＢ３と同時に重ならないことを認識し、その後、処理がブロック２７で続行する。ブロック２３、２４、２５、２６、２８および２７は、次に、時点ＴＴＣ＝ＴＴで、通信プロトコルによって規定された最大受信期間ＴＴに到達したことが確証されるまで繰り返され、処理がブロック３２で続行される。
【００５３】
ブロック３２で、チェック手段１８は、通信誤り情報ＫＦＩが予め記憶されているかどうかをチェックする。受信期間中に、受信ビットシーケンスＢＦＴからのビットが少なくとも１回受信されているならば、常に、通信誤り情報ＫＦ１が予め記憶されている。この場合、チェック手段１８は、記憶された通信誤り情報ＫＦＩをブロック３３でインタフェース装置１１へ送出する。受信ビットシーケンスＢＦＴからのビットが最大受信期間ＴＴの全体で未だ受信されていないならば、チェック手段１８は、ブロック３４で受信期間超過情報ＴＴＩをインタフェース装置１１へ送出する。
【００５４】
これは、インタフェース装置１１へ送られた情報を使用することにより、インタフェース装置１１はさらなる工程を開始することができる、という効果を奏する。これは、受信期間超過情報ＴＴＩがインタフェース装置１１によって受信されたならば、「あなたの電子チケットをチケット機械へもっと近づけて下さい。」というテキストがインタフェース装置１１のディスプレイでユーザへ表示できることを意味する。同様に、インタフェース装置１１は、プロンプト信号ＡＳの再送を開始し、または、有効な受信データＥＤが中継器２から受信されるように他の工程を実行し得る。
【００５５】
バッファ記憶手段は必ずしも本発明による受信装置に搭載しなくても構わないことに注意する必要がある。この場合、評価手段によって決定された受信ビットシーケンスＢＦＴの各ビットは、チェック手段によって直ちにチェックされるであろう。バッファ記憶手段の搭載は、特に、受信装置の手段がソフトウェア手段ではなく、ハードウェア手段によって実現される場合には不要である。
【００５６】
本発明による受信方法は、受信装置と送信装置が導線によって接続されている場合にも有利であることに注意する必要がある。しかし、受信装置と送信装置が非接触通信で動作する場合にこの受信方法を行うことは特に有利である。
【００５７】
周期的な妨害信号は、欠陥のある電気製品または他の通信システムからの送信装置のような他の妨害発生源によって送出される場合があることに注意する必要がある。
【図面の簡単な説明】
【００５８】
【図１】本発明の受信方法によって中継器と通信する基地局を表す図である。
【図２】受信方法のフローチャートである。
【図３】第１の実施形態による送信信号に格納され、中継器から基地局へ送信された受信データのビットと送信信号に対する妨害によって生じたビットの両方を含むビットシーケンスを表す図である。
【図４】第２の実施形態による送信信号に格納されたビットシーケンスを表す図である。
【符号の説明】
【００５９】
１  基地局
２  第１の中継器
３  第２の中継器
４、５  アンテナ
６  処理手段
８  記憶手段
１０  受信装置
１１  インターフェース装置
１２  受信手段
１３  アンテナ
１４  フィルタ段
１５  クロック信号手段
１６  評価手段
１７  バッファ記憶手段
１８  チェック手段
１９  送信手段
【図１】
2005525767.tif 000003
【図２】
2005525767.tif 000004
【図３】
2005525767.tif 000005
【図４】
2005525767.tif 000006
【国際調査報告】
2005525767.tif 000007
2005525767.tif 000008